(57)【要約】【課題】  簡単かつ頑丈な構造であって色々な場所に固定することができる杖ホルダーを提供すること。【解決手段】  前面側に一対の弾性突出面が形成され弾性突出面の間に杖保持用の近接弾性対向面が形成された弾性部材からなる杖保持部材と、硬質の合成樹脂から構成され上記杖保持部材を背面側から支持するホルダー本体と、上記ホルダー本体に接合され該ホルダー本体を水平に保持する保持具とから構成され、上記保持具は上記ホルダー本体が上記保持具に対して水平位置から垂直位置に回動し得るように上記ホルダー本体を支持する回動支持部を有すると共に、固定対象物に固定するための固定部を有する杖ホルダーにより構成される。【選択図】  図３
2012050467.tif 000002
【特許請求の範囲】
【請求項１】
前面側に一対の弾性突出面が形成され、これら弾性突出面の間に杖保持用の近接弾性対向面が形成された弾性部材からなる杖保持部材と、
硬質の合成樹脂から構成され、上記杖保持部材を背面側から支持するホルダー本体と、
上記ホルダー本体に接合され、該ホルダー本体を水平位置に保持する保持具とから構成され、
上記保持具は、上記ホルダー本体が上記保持具に対して上記水平位置から垂直位置に回動し得るように上記ホルダー本体を支持する回動支持部を有しており、
かつ上記保持具は、固定対象物に固定するための固定部を有しているものであることを特徴とする杖ホルダー。
【請求項２】
上記両弾性突出面は各々前方側に突出する円弧面により形成されており、該円弧面は上記近接弾性対向面に連続するものである請求項１記載の杖ホルダー。
【請求項３】
上記ホルダー本体は略凹形状をなしていると共に該略凹形状の内側に沿って内溝を形成し、
上記杖保持部材の背面側の外周を上記内溝に嵌合することにより上記杖保持部材の上記外周を上記ホルダー本体で包囲するものである請求項１又は２記載の杖ホルダー。
【請求項４】
上記保持具の上記回動支持部は、左右方向の水平回動軸を以って上記ホルダー本体を軸支するものであり、固定部材を以って上記ホルダー本体を上記保持具に対して任意の角度で固定し得るように構成したものであることを特徴とする請求項１〜３の何れかに記載の杖ホルダー。
【請求項５】
横断面凹状の取付板を設け、該取付板の凹状の外面に上記杖ホルダーの上記保持具を接合し得るように構成し、
上記取付板の両端部に各々貫通孔を設け、一対の結束バンドを上記両貫通孔の各々に挿通したものであることを特徴とする請求項１〜４の何れかに記載の杖ホルダー。
【請求項６】
上記ホルダー本体と上記取付板との接合は、上記保持具の上記固定部と上記取付板の上記外面とを前後方向の水平回動軸を以って軸支し、
上記ホルダー本体は、上記前後方向の水平回動軸の周りに角度調整可能に構成したものであることを特徴とする請求項５に記載の杖ホルダー。
【請求項７】
請求項１〜６の何れかに記載の杖ホルダーにて保持された杖の先端部を受ける先端部受カップを設け、該先端部受カップの外周面に一対の結束バンド支持部を設け、これら結束バンド支持部に一対の結束バンドを支持したものであることを特徴とする杖ホルダーセット。
【発明の詳細な説明】
【技術分野】
【０００１】
本発明は、病院、福祉施設等において、机、ベッド、車椅子等に容易に設置でき、杖を保持することが可能な杖ホルダー及び杖ホルダーセットに関するものである。
【背景技術】
【０００２】
従来、病院、福祉施設等において、杖を必要とする患者、入所者等は、個室等においては、杖をベッドのパイプ枠に掛けたり、食事中はテーブルに立て掛けており、車椅子の患者は杖を膝の上に置いていた。
【０００３】
しかしながら、これらの杖は床に落ち易いため、床に落ちた杖で躓く場合があるし、床に落ちた杖を拾う際に身体に負担を生じていた。また、車椅子で移動中に、杖が他人に当たる場合があり危険であった。
【０００４】
このような事態に鑑みて、従来、杖を保持するための杖ホルダーがいくつか提案されている。
【０００５】
例えば、円弧状の杖保持部を有するホルダーを壁面等に水平に固定するもの（特許文献１，２）、杖ホルダーの固定部材を複数種類設け、どこに固定するかによって使い分けを可能としたもの（特許文献３）、杖ホルダーを水平に固定した状態から壁面に平行に回動して折り畳み可能としたもの（特許文献４）等が提案されている。
【先行技術文献】
【特許文献】
【０００６】
【特許文献１】特開２０１０−８２３５２号
【特許文献２】特開２００４−５７４２２号
【特許文献３】特開２００４−３１３６７５号
【特許文献４】実用新案登録第３１１８９５７号
【発明の概要】
【発明が解決しようとする課題】
【０００７】
ところで、特許文献１、２の杖ホルダーは、取付面に対して水平に固定されるものであり常時取付面から突出しているため、人或いは物が杖ホルダー自体に当接することがあり危険であった。また、固定方法も埋め込み或いは接着等であるから、取り付け対象物或いは取り付け位置が非常に限定される、という課題があった。
【０００８】
特許文献３の杖ホルダーは、いくつかの固定部材を使用することによってパイプ等にも取り付け可能としたものであるが、より多くの部材に確実に取り付けられる構造が望まれる。
【０００９】
特許文献４の杖ホルダーは、ホルダー部を取付面に対して平行に折り畳み可能な構造が開示されているが、ホルダー自体の構造が極めて複雑であり、より低コストで実現可能な構造が望まれる。
【００１０】
本発明は、上記従来の課題に鑑みてなされたものであり、簡単な構造であって低コストで製造可能であるにも拘わらず、頑丈な構造であって、色々な取り付け場所に確実に固定することができ、しかもホルダー本体を折り畳み可能とすると共に、ホルダー本体の固定対象物に対する水平方向の角度調整も可能として、確実に杖を保持し得る杖ホルダー及び杖ホルダーセットを提供することを目的とするものである。
【課題を解決するための手段】
【００１１】
上記の目的を達成するため本発明は、
第１に、前面側に一対の弾性突出面が形成され、これら弾性突出面の間に杖保持用の近接弾性対向面が形成された弾性部材からなる杖保持部材と、硬質の合成樹脂から構成され、上記杖保持部材を背面側から支持するホルダー本体と、上記ホルダー本体に接合され、該ホルダー本体を水平位置に保持する保持具とから構成され、上記保持具は、上記ホルダー本体が上記保持具に対して上記水平位置から垂直位置に回動し得るように上記ホルダー本体を支持する回動支持部を有しており、かつ上記保持具は、固定対象物に固定するための固定部を有しているものであることを特徴とする杖ホルダーにより構成される。
【００１２】
上記回動支持部は、例えばホルダー本体（２）の固定支持部（３）と、該固定支持部（３）を保持する保持具（５）の水平回動支持部（５ｂ）と、該水平回動持部（５ｂ）と上記固定支持部（３）に貫通する左右方向の水平回動軸としてのネジ（６）等により構成することができる。上記固定部は例えば上記保持具（５）に設けられた直立基板（５ａ）により構成することができる。このように構成すると、保持具により杖ホルダーを固定対象物に水平に固定し、杖を近接弾性対向面により確実に保持することができ、また、ホルダー本体を垂直位置に回動することにより収納することができる。また、杖を保持する際に一対の弾性突出面の存在により杖を傷付けることがない。
【００１３】
第２に、上記両弾性突出面は各々前方側に突出する円弧面により形成されており、該円弧面は上記近接弾性対向面に連続するものである上記第１記載の杖ホルダーにより構成される。
【００１４】
このように構成すると、弾性突出面によって杖を近接弾性対向面に案内することができ、円滑に杖を保持させることができると共に、上記弾性突出面によって杖を傷付けることもない。
【００１５】
第３に、上記ホルダー本体は略凹形状をなしていると共に該略凹形状の内側に沿って内溝を形成し、上記杖保持部材の背面側の外周を上記内溝に嵌合することにより上記杖保持部材の上記外周を上記ホルダー本体で包囲するものである上記第１又は２記載の杖ホルダーにより構成される。
【００１６】
このように構成すると、弾性体からなる杖保持部材の外周を硬質合成樹脂からなるホルダー本体により支持することにより、杖を近接弾性対向面により確実に保持する機能を確保しつつ、ホルダー全体形状を硬質な合成樹脂により構成することができ、耐用年数の高い頑丈な杖ホルダーを実現し得る。
【００１７】
第４に、上記保持具の上記回動支持部は、左右方向の水平回動軸を以って上記ホルダー本体を軸支するものであり、固定部材を以って上記ホルダー本体を上記保持具に対して任意の角度で固定し得るように構成したものであることを特徴とする上記第１〜３の何れかに記載の杖ホルダーにより構成される。
【００１８】
上記固定部材は、例えば、ネジ（６）とナット（Ｎ）により構成することができる。このように構成すると、固定対象物が傾斜していたとしても、固定部材により杖ホルダーを水平な角度で固定することができる。
【００１９】
第５に、横断面凹状の取付板を設け、該取付板の凹状の外面に上記杖ホルダーの上記保持具を接合し得るように構成し、上記取付板の両端部に各々貫通孔を設け、一対の結束バンドを上記両貫通孔の各々に挿通したものであることを特徴とする上記第１〜４の何れかに記載の杖ホルダーにより構成される。
【００２０】
上記貫通孔は、取付板（１１）の両端部に各々２個ずつの貫通孔（１１ｄ，１１ｄ，１１ｅ，１１ｅ）を設けることが好ましい。このように構成すると、固定対象物に取付板を取り付け、結束バンドで取付板を固定対象物に強固に固定することができる。また、結束バンドで取り付けるので、固定対象物の形状に拘わらず杖ホルダーを固定することができるし、取り外しも容易に行うことができる。
【００２１】
第６に、上記ホルダー本体と上記取付板との接合は、上記保持具の上記固定部と上記取付板の上記外面とを前後方向の水平回動軸を以って軸支し、上記ホルダー本体は、上記前後方向の水平回動軸の周りに角度調整可能に構成したものであることを特徴とする上記第５に記載の杖ホルダーにより構成される。
【００２２】
上記前後方向の水平回動軸は、例えばネジ（７）により構成することができる。このように構成すると、ホルダー本体（２）を前後方向の水平回動軸（Ｃ１）の周りに回転させることができ、固定対象物の角度に拘わらず、ホルダー本体２を水平に固定することができるし、固体対象物の角度に応じてホルダー本体を任意の角度で固定することができる。
【００２３】
第７に、上記第１〜６の何れかに記載の杖ホルダーにて保持された杖の先端部を受ける先端部受カップを設け、該先端部受カップの外周面に一対の結束バンド支持部を設け、これら結束バンド支持部に一対の結束バンドを支持したものであることを特徴とする杖ホルダーセットにより構成される。
【００２４】
このように構成すると、杖の上端部を杖ホルダーにて保持し、同時に杖の先端部を先端部受カップにて保持し得るので、例えば車椅子等にて使用しても杖が邪魔になることがない。
【発明の効果】
【００２５】
上述のように、本発明によると、簡単な構造でありながら、杖を近接弾性対向面により確実に保持することができ、また、杖ホルダーを垂直位置に収納可能であり、しかも一対の弾性突出面の存在により杖を傷付けることのない杖ホルダーを実現することができる。
【００２６】
また、弾性突出面によって杖を近接弾性対向面に案内することができ、円滑に杖を保持することができる。
【００２７】
また、弾性体からなる杖保持部材の外周部を硬質合成樹脂からなるホルダー本体により支持することにより、杖を近接弾性対向面により確実に保持する機能を確保しつつ、全体形状を硬質な合成樹脂により構成することができ、耐用年数の高い頑丈な杖ホルダーを実現し得る。
【００２８】
また、固定対象物が傾斜していたとしても、固定部材により杖ホルダーを適切な角度で固定することができる。
【００２９】
また、固定対象物に取付板を取り付け、結束バンドで取付板を固定対象物に強固に固定する構造であるので、固定対象物の形状に拘わらず杖ホルダーを確実に固定することができるし、杖ホルダーの取り外しも容易に行うことができる。
【００３０】
また、ホルダー本体を前後方向の水平回動軸の周りに回転させることができるので、固定対象物の位置、傾斜角度に拘わらず、ホルダー本体２を最適の角度に固定できる。
【００３１】
また、杖の上端部を杖ホルダーにて保持し、同時に杖の先端部を先端部受カップにて保持し得るので、例えば車椅子等にて使用しても杖先端が邪魔になることがなく、車椅子等の移動体に適した杖ホルダーセットを実現し得るものである。
【図面の簡単な説明】
【００３２】
【図１】本発明に係る杖ホルダーの分解斜視図である。
【図２】（イ）は同上杖ホルダーの組み立て過程を示す斜視図、(ロ)は同上杖ホルダーの組立図である。
【図３】同上杖ホルダーの平面図である。
【図４】（イ）(ロ)は同上杖ホルダーの取付状態の側面図である。
【図５】同上杖ホルダーの取付状態の側面図である。
【図６】（イ）は先端部受カップの斜視図、(ロ)は同上カップの側面図である。
【図７】（イ）は同上杖ホルダーの側面図、(ロ)は同上杖ホルダーの取付状態の側面図である。
【図８】（イ）は同上杖ホルダーの側面図、(ロ)は同上杖ホルダーの収納状態を示す側面図である。
【図９】（イ）(ロ)は同上杖ホルダーの正面図である。
【図１０】本発明に係る杖ホルダーセットの側面図である。
【図１１】同上杖ホルダーを車椅子に取り付けた状態を示す図である。
【発明を実施するための形態】
【００３３】
以下、添付図面に基づいて本発明の杖ホルダー及び杖ホルダーセットを詳細に説明する。
【００３４】
尚、以下の説明において、図１において杖保持部材１の開口１ｃの方向を「前方」、ホルダー本体２のネジ４の方向を「後方又は背面」、前方から後方を向いた左右方向を「左右方向」、左右方向に直交する方向を「上下方向」という。
【００３５】
図１は本発明に係る杖ホルダー１０の分解斜視図である。かかる図において、杖保持部材１は、その全体がゴム、ウレタン等の弾性部材から構成されており、前面側に開口１ｃを介して一対の弾性突出面１ａ，１ａが形成され、これら弾性突出面１ａ，１ａの間に、突出面１ａ，１ａから引き続いて杖保持用の近接弾性対向面１ｂ，１ｂが形成されている。この杖保持部材１は、外周１ｅの面が略円弧状をなし、上記近接弾性対向面１ｂ，１ｂが略「Ｕ」字状をなす、全体としては一定の厚さの略凹形状を成すものである。上記弾性対向面１ｂ，１ｂの間隔Ｔ１は、一般的な杖Ｓの直径より狭く形成されており、当該間隔Ｔ１に杖Ｓを挿入することにより、上記弾性対向面１ｂ，１ｂの弾性力により、杖Ｓを確実に保持し得るように構成している。
【００３６】
上記近接弾性対向面１ｂ，１ｂは図３に示すように、互いに略平行な平行部１ｂ’，１ｂ’を有しており、これら平行部１ｂ’，１ｂ’によって、これら平行部１ｂ’，１ｂ’の前後方向の範囲Ｔ２において、杖Ｓを確実に保持し得るように構成している。即ち、当該平行部１b’，１ｂ’の存在する前後方向の範囲Ｔ２において、杖Ｓが前後方向に多少ずれても、平行部１ｂ’，１ｂ’の間隔Ｔ１は略同一なので、上記平行部１ｂ’，１ｂ’の範囲Ｔ２のどの位置においても杖Ｓを確実に保持することができる。１ｄは上下方向の貫通孔であり、後述のホルダー本体２に固定するためのネジ４を挿通するものである。
【００３７】
この杖保持部材１は、高い反発力（弾性復帰力）を有するゴム、ウレタン等の弾性体により形成されており、図３に示すように、杖Ｓを上記対向面１ｂ，１ｂ間に挿入したとき、杖Ｓの側面に沿って変形し（図３の２点鎖線参照）、矢印Ｄ，Ｄ方向の弾性復帰力により杖Ｓの側面を強固に保持するものである。この杖保持部材１の素材としてのゴムは、反発弾性、耐摩耗性、引裂強度が何れも高く、耐熱性（＋６０℃）、耐寒性（−２０℃）の天然ゴムを使用することが好ましい。
【００３８】
また、上記両弾性突出面１ａ，１ａは各々前方側に突出する円弧面により形成されており、該円弧面は上記近接弾性対向面１ｂ，１ｂに連続している。そして上記弾性突出面１ａ，１ａは、上記開口１ｃから挿入される杖Ｓを上記対向面１ｂ，１ｂに誘導案内し得るように構成されている。
【００３９】
ホルダー本体２は、硬質の合成樹脂（ナイロン等の硬質合成樹脂）から構成され、上記杖保持部材１を背面側（後面側）から支持するものである。このホルダー本体２は、上記開口１ｃより広く開口した開口２ｂを有し、中央部には上記近接弾性対向面１ｂ，１ｂの間隔Ｔ１よりも広い円弧状開口部２ｃを有しており、全体として前面側開口の略凹形状（具体的には円弧形状）を成している。上記円弧状開口部２ｃの水平方向の開口幅は一般的な杖Ｓの直径よりも十分に広い幅を有している。
【００４０】
このホルダー本体２の略凹形状（円弧形状）の内周部には、上記杖保持部材１の外周１ｅを嵌合保持するために内側方向に開口した横断面「コ」字状の内溝２ａがその内周面の全体に亘り形成されており、該内溝２ａの一対の前端には、前方に向けて開口する前面開口部２ａ’，２ａ’が形成されている。２ｄ，２ｄ’は上記ホルダー本体２の後端部に設けられた上下方向の貫通孔であり、上記杖保持部材１を固定するためのネジ４の挿通用の孔である。また上記ホルダー本体２の上記前面開口部２ａ’，２ａ’が形成された開口２ｂ両端部を前端部２ｅ，２ｅという。
【００４１】
このように、上記ホルダー本体２は全体として凹形状をなしていると共に該凹形状の内側に沿って上記内溝２ａを形成し、上記杖保持部材１の後面側（背面側）の外周１ｅを上記内溝２ａに嵌合固定したものである。このとき、図３に示すように、上記円弧状開口部２ｃの位置は、上記近接弾性対向面１ｂが杖Ｓにより弾性変形する幅Ｔ３より外側に位置するように構成している。即ち、近接弾性対向面１ｂから上記円弧状開口部２ｃまでの最大幅Ｔ４とすると、T３＜T４（上下左右ともに同じ）となるように上記円弧状開口部２ｃの上記最大幅Ｔ４が形成されている。
【００４２】
このように構成することにより、太さの異なる杖Ｓを近接弾性対向面１ｂ，１ｂに挿入しても上記最大幅Ｔ４の範囲で杖Ｓを受け入れ保持可能であるし、硬質の合成樹脂による上記ホルダー本体２の上記内溝２ａにより、弾性部材からなる上記杖保持部材１の円弧状の外周１ｅ及び外周１ｅに沿う上下周面１ｆ，1ｆ’の全体が包囲されているので、開口１ｃから近接弾性対向面１ｂ，１ｂの存在する円弧状開口部２ｃ内のエリアでは、弾性部材による柔軟な杖保持部分が形成されており、この部分で杖Ｓを確実に保持し得ると共に、上記弾性部材による柔軟な部分（近接弾性対向面１ｂ，１ｂ等）を硬質合成樹脂によるホルダー１０の本体２により取り囲むことにより、杖ホルダー１０全体としては硬質合成樹脂による頑丈な構造とすることができ、構造簡単ではあるが、頑丈で耐用年数の高い理想的な形状の杖ホルダー１０を形成することができるものである。
【００４３】
尚、上記内溝２ａの円弧形状は上記杖保持部材１の外周１ｅの円弧形状と略同一形状となるように構成されている。
【００４４】
３は固定支持部であり、上記ホルダー本体２の後端部下面に固着されるものである。この固定支持部は上下方向のネジ孔３ａを有しており、上記杖保持部材１を固定するためのネジ４が当該ネジ孔３ａに挿通され、上記ホルダー本体２と一体化されるものである。この固定支持部３には左右方向の水平回動軸Ｃ２としてのネジ６を挿通するための左右方向の水平貫通孔３ｂが貫設されている。
【００４５】
５は金属製の保持具であり、後述の取付板１１に固定するための直立基板５ａと、該直立基板５ａの両側から前方に向けて突出した一対の水平回動用支持部５ｂ，５ｂとから構成されている。上記直立基板５ａにはその中央部に前後方向の水平回動軸Ｃ１としてのネジ７を挿通するための貫通孔５ａ’が貫設されており、かつ上記一対の水平回動用支持部５ｂ，５ｂには左右方向の水平回動軸Ｃ２としてのネジ６を挿通するための貫通孔５ｂ’，５ｂ’が貫設されている。
【００４６】
よって、図１に示すように、上記ホルダー本体２の後端下面に上記固定支持部３の上面３ｃを宛がい、上記ホルダー本体２の開口２ｂより、上記杖保持部材１をその背面側からホルダー本体２の内溝２ａ内に挿入し、上記杖保持部材１の外周１ｅを上記内溝２ａ内面に接触させ、その状態で、ネジ４を貫通孔２ｄ，１ｄ，２ｄ’を介して上記固定支持部３のネジ孔３ａに螺合させる。
【００４７】
これにより、上記ホルダー本体２の内溝２ａ内に上記杖保持部材１を嵌合固定することができ、かつ上記固定支持部３を上記ホルダー本体２後部下面に固着することができる。このとき、図２、図３に示すように、杖ホルダー１０の前面側に、上記杖保持部材１の一対の弾性突出面１ａ，１ａが位置しており、硬質のホルダー本体２の一対の前面開口部２ａ’，２ａ’（前端部２ｅ，２ｅ）は上記弾性突出面１ａ，１ａの外側に位置しているので、上記開口１ｃ側から上記近接対向弾性面１ｂ，１ｂ内に杖Ｓを挿入する際、杖Ｓの側面は上記弾性突出面１ａ，１ａにまず当接し、該弾性突出面１ａ，１ａに誘導されながら上記近接対向弾性面１ｂ，１ｂに挿入されていくため、杖Ｓを円滑に挿入し得ると共に、杖Ｓが硬質なホルダー本体２の前端部２ｅ，２ｅ等によって傷付くことはない。
【００４８】
また、上記保持具５の水平回動用支持部５ｂ，５ｂの間に上記固定支持部３を位置させ、水平回動軸Ｃ２としてのネジ６を上記貫通孔５ｂ’、上記水平貫通孔３ｂ、貫通孔５ｂ’に挿通し、ナットＮを以ってネジ６を締め付けることにより、上記保持具５を上記固定支持部３に固定することができる。
【００４９】
この状態においては、図４に示すように、上記保持具５の直立基板５ａを固定対象物（壁面Ｆ１、図４（イ）或いはパイプＦ２、図４(ロ)）に接触させ、ネジ７を上記貫通孔５ａ’を介して上記壁面Ｆ１又はパイプＦ２にねじ込むことにより、当該杖ホルダー１０を上記壁面Ｆ１又はパイプＦ２に固定することができる。
【００５０】
このとき、杖ホルダー１０は、図４(イ)に示すように、杖ホルダー１０を水平位置に位置させた状態で使用するが、杖ホルダー１０を上記保持具５の左右方向の水平回動軸Ｃ２に対して、矢印Ａ方向に回動させることにより、不使用時は図４(イ)の二点鎖線に示すように、垂直位置に折り畳んで格納することができる。また、図４（ロ）に示すように、固定対象物（パイプＦ２）が傾斜していた場合であっても、上記水平回動軸Ｃ２のネジ６を緩めて杖ホルダー１０を保持具５に対して回動させ（矢印Ａ方向）、杖ホルダー１０を水平とした状態で上記ネジ６を締め付けることにより、杖ホルダー１０を水平の状態で固定することができる。さらに、前後方向のネジ７を中心として、ホルダー本体２を水平回動軸Ｃ１の周りに矢印Ｅ，Ｆ方向に角度調整することができる（図１、図９（ロ）参照）。この場合、上記ネジ７を緩めて、ホルダー本体２を適宜、水平回動軸Ｃ１の回りに角度調整し、その後、ネジ７を締め付けることにより、杖ホルダー１０を適宜の角度に固定することができる（図９）。
【００５１】
１１は取付板であり、横断面凹状の金属製の板状部材により構成されている。実施形態では上記取付板１１は方形板の両縁部を同一方向に浅く折り曲げた形状であるが、横断面円弧形状としても良い。尚、取付板１１の凹状の内側を内面１１ａ、凹状の外側の外面１１ｂという。この取付板１１は、図１に示すように、その板面の中央部に貫通孔１１ｃが貫設されており、上記外面１１ｂ側に上記保持具５の直立基板５ａを宛がい、前方から上記ネジ７を上記貫通孔５ａ’、上記貫通孔１１ｃに挿通し、ナットＮを以って上記ネジ７を締め付けることにより、上記杖ホルダー１０を上記取付板１１の外面１１ｂに固定することができる。
【００５２】
上記取付板１１の上下の両端部には、各一対の貫通孔１１ｄ，１１ｄ，１１ｅ，１１ｅを左右方向に同一高さに貫設し（図９（イ）（ロ）参照）、一対の結束バンド１４，１４を上記両端部の貫通孔１１ｄ，１１ｄ，１１ｅ，１１ｅの各々に水平方向に挿通する。
【００５３】
上記結束バンド１４は、図９に示すように、一端に段部１４ｂが形成されており、他端には係止リング１４ａが形成されており、上記段部１４ｂを上記係止リング１４ａ内に挿通することで、上記段部１４ｂを上記係止リング１４ａ部分にて係着することができるものである。
【００５４】
上記取付板１１の左右方向の両側縁１１ｆ及び凹状の内面１１ａの中央部には、ゴム等の弾性体からなる衝撃吸収材１２，１３を固定している。上記両側縁の衝撃吸収材１２，１２は中央に溝１２ａが形成されており、上記溝１２ａ内に上記両側縁１１ｆを挿入嵌合した状態で接着剤等により上記両側縁１１ｆ，１１ｆに固定される。上記衝撃吸収材１３は各々接着剤等を持って上記内面１１ａに固定される。
【００５５】
図６（イ）に示すものは、上記杖ホルダー１０にて保持された杖Ｓの先端部を受ける先端部受カップ９である。この先端部受カップ９は、円筒形状の上面開口カップにより構成されており、底面９ａには複数の水抜き孔９ｂが貫通形成されている。この先端部受カップ９の外周面には、上下に一対の結束バンド支持部１５，１５が設けられており、該支持部１５，１５の水平孔１５ａ，１５ａに水平方向に結束バンド１４，１４が各々挿通されている。また、上記バンド支持部１５，１５の両側の上記結束バンド１４，１４には、合成樹脂製の収縮チューブ１６，１６を挿通している。この収縮チューブ１６，１６は当該先端部受カップ９を例えば車椅子のパイプ等に上記結束バンド１４，１４により取り付けたとき、パイプと結束バンド１４，１４との摩擦力を高めて当該先端部受カップ９のパイプに対するずれを防止するものである。
【００５６】
車椅子等の移動体において杖ホルダー１０を使用する場合は、図１１に示すように、車椅子２０の取手２０ｃにつながるパイプＦ２（フレーム）の上部に杖ホルダー１０を固定し、当該パイプＦ２の下方の杖Ｓの先端部近傍位置に先端部受カップ９を固定し、杖Ｓの上部を上記杖ホルダー１０に保持すると共に、杖Ｓの先端部を当該先端部受カップ９に載置して、杖Ｓの先端部を受けるように構成する。このように構成すると、杖Ｓの先端部が固定されて安定するため、安全に車椅子２０での移動を行うことができる。尚、上記杖ホルダー１０と上記先端部受カップ９を合わせて杖ホルダーセットという。また、図１１中、２０ｂは車椅子の座面、２０ａは車輪である。
【００５７】
本発明に係る杖ホルダー１０は上述のように構成されるものであるから、図２（ロ）に示すように、杖保持部材１の装着されたホルダー本体２を取付板１１に水平に固定した状態で使用する場合は、図３、図５に示すように、車椅子等のパイプＦ２（鉛直方向とする）に取付板１１の内面１１ａ側を宛がい、上下の結束バンド１４，１４をパイプＦ２の後方にて回して当該バンド１４，１４を強く結束すれば良い（図３、図５の結束バンド１４の二点鎖線参照）。このように構成することで、図３、図５に示すように、杖ホルダー１０を上記パイプＦ２に固定することができる。このとき、ホルダー本体２は、パイプＦ２に対して直交方向、即ち水平となるように位置させる。
【００５８】
この状態において、杖Ｓを上記杖ホルダー１０の開口１ｃから近接弾性対向面１ｂ，１ｂ内に挿入すれば良い。すると、上記近接弾性対向面１ｂ，１ｂにより、杖Ｓの側面が確実に保持されるため、杖Ｓを当該杖ホルダーによって確実に保持することができる（図５参照）。また、上記杖Ｓの側面が弾性突出面１ａ，１ａに当接しても、当該突出面１ａ，１ａは円弧状の弾性体であるので杖Ｓが傷付くこともなく、上記突出面１ａ，１ａによって杖Ｓは上記近接弾性対向面１ｂ，１ｂに円滑に案内される。
【００５９】
このとき、パイプＦ２の角度が図７(ロ)に示すように、鉛直方向から傾いている場合は、ネジ６を緩めて保持具５に対してホルダー本体２を水平位置になるまで回動させ（矢印Ａ方向）、その後、上記ネジ６を締め付けることにより、上記ホルダー本体２を水平に位置させることができる。よって、杖ホルダー１０を取付板１１を用いて固定対象物であるパイプＦ２に接続している状態において、固定対象物であるパイプＦ２等が傾斜していたとしても、杖ホルダー１０を常時水平となるように固定することができる（図７（ロ））。尚、杖ホルダー１０を取り外すときは、結束バンド１４の結束を解除するか、結束バンド１４を切断することにより簡単に行うことができる。
【００６０】
勿論、取付板１１を用いることなく、保持具５をネジ７を以って直接パイプＦ２に取付けることもできるが（図４（イ）(ロ)の状態）、この場合も図４（ロ）に示すように杖ホルダー１０を常に水平に位置させることができる。
【００６１】
また、固定対象物が左右の何れかの方向に傾斜している場合は、当該固定対象物に取付板１１を以って当該杖ホルダー１０を同様に固定した後、図９(ロ)に示すように、杖ホルダー１０を前後方向の中心回動軸Ｃ１のネジ７を緩めて、杖ホルダー１０を上記中心回動軸Ｃ１の周りに矢印Ｅ又はＦ方向に回動させて、当該杖ホルダー１０を水平状態とした後、上記ねネジ７を締め付けることにより、杖ホルダー１０を固定すればよい。
【００６２】
図９（イ）(ロ)は、取付板１１に対してホルダー本体２を前後方向の水平回動軸Ｃ１に対して１８０度回転させたものであり、このようにホルダー本体２は取付板１１に対して適宜の角度で使用することができる。
【００６３】
尚、勿論、杖ホルダー１０を水平とすることなく、例えば傾斜したパイプＦ２等に直交する状態に固定して、杖Ｓを傾斜したパイプに平行に固定することもでき、杖ホルダー１０の固定角度は適宜設定することができる。
【００６４】
患者が車椅子等の移動体を使用する場合は、図１０に示すように、車椅子のパイプＦ２の上部位置に取付板１１の結束バンド１４，１４を以って杖ホルダー１０を固定し、当該パイプＦ２の下方の上記杖Ｓの先端部近傍に上記先端部受カップ９をその一対の結束バンド１４，１４を以って固定する。そして、上記杖Ｓの上部近傍を上記杖ホルダー１０にて保持し、その状態の上記杖Ｓの先端部を上記先端部受カップ９内に挿入して保持すれば良い。このように構成すると、上記杖Ｓの先端部が上記先端部受カップ９にて固定されるため、杖Ｓが車椅子の移動の邪魔になることはない。
【００６５】
上記説明では、図２（イ）(ロ)に示すように、ホルダー本体２に対して取付板１１の長手方向が直交する状態で使用する実施形態を説明したが、取付板１１を９０度回転させた状態で固定対象物に上記結束ベルトで固定することも可能である。
【００６６】
以上のように、本発明によると、簡単な構造でありながら、杖Ｓを近接弾性対向面１ｂ，１ｂにより確実に保持することができ、また、杖ホルダー１０を垂直位置に収納可能であり、しかも一対の弾性突出面１ａ，１ａの存在により杖Ｓを傷付けることのない杖ホルダー１０を実現することができる。
【００６７】
また、弾性突出面１a，１ａによって杖Ｓを近接弾性対向面１ｂ，１ｂに案内することができ、円滑に杖Ｓを保持させることができる。
【００６８】
また、弾性体からなる杖保持部材１の外周１ｅを硬質合成樹脂からなるホルダー本体２により支持することにより、杖Ｓを近接弾性対向面１ｂ，１ｂにより確実に保持する機能を確保しつつ、全体形状を硬質な合成樹脂により構成することができ、耐用年数の高い頑丈な杖ホルダー１０を実現し得る。
【００６９】
また、固定対象物が傾斜していたとしても、水平回動軸Ｃ１，Ｃ２に基づくホルダー本体２の角度調整により、杖ホルダー１０を常に適切な角度で固定することができる。
【００７０】
また、固定対象物に取付板１１を取り付け、結束バンド１４，１４で取付板１1を固定対象物に強固に固定する構造であるので、固定対象物の形状に拘わらず杖ホルダー１０を確実に固定することができるし、杖ホルダー１０の取り外しも容易に行うことができる。
【００７１】
また、ホルダー本体２を前後方向の水平回動軸Ｃ１の周りに回転させることができるので、固定対象物の位置、傾斜角度に拘わらず、ホルダー本体２を最適の角度に固定できる。
【００７２】
また、杖Ｓの上端部を杖ホルダー１０にて保持し、同時に杖Ｓの先端部を先端部受カップ９にて保持し得るので、例えば車椅子等にて使用しても杖先端が邪魔になることがなく、車椅子等の移動体に適した杖ホルダーセットを実現し得るものである。
【産業上の利用可能性】
【００７３】
本発明に係る杖ホルダー及び杖ホルダーセットは、病院、老人施設、福祉施設等に限らず、杖を必要とする人が集まる場所（ホテル、ショッピングセンター等）及び自宅においても広く利用できるものである。
【符号の説明】
【００７４】
１              杖保持部材
１ａ，１ａ      弾性突出面
１ｂ，１ｂ      近接弾性対向面
１ｅ            外周
２              ホルダー本体
２ａ            内溝
３              固定支持部
５              保持具
５ｂ            水平回動支持部
６，７          ネジ
９              先端部受カップ
１０            杖ホルダー
１１            取付板
１１ｂ          外面
１１ｄ，１１ｅ  貫通孔
１４            結束バンド
１５            結束バンド支持部
Ｃ１，Ｃ２      水平回動軸
Ｆ１            壁面（固定対象物）
Ｆ２            パイプ（固定対象物）
Ｎ              ナット
Ｓ              杖
【図１】
2012050467.tif 000003
【図２】
2012050467.tif 000004
【図３】
2012050467.tif 000005
【図４】
2012050467.tif 000006
【図５】
2012050467.tif 000007
【図６】
2012050467.tif 000008
【図７】
2012050467.tif 000009
【図８】
2012050467.tif 000010
【図９】
2012050467.tif 000011
【図１０】
2012050467.tif 000012
【図１１】
2012050467.tif 000013